(57)【要約】【課題】２つの音声出力装置の一方の音声出力レベルをミュートさせることによって、使用者に品質の良い聞き取り易い通話を行う手段を提供する。【解決手段】本発明の無線端末は、無線端末間で直接通信を用いる直接通信波と無線端末間を基地局を介して中継通信を行う基地局折り返し通信波を受信し復調して異なるスピーカ若しくは受信信号を合成して一つのスピーカから音声出力可能な無線通信システムの無線端末であって、２つの通信波を同時に受信した場合は、２つの通信波の中に含まれる送信側の無線端末の識別番号を抽出し、２つの通信波の両方に識別番号が有り、かつ識別番号が一致する場合には一方の音声出力をミュートにし、２つの通信波のどちらか一方のみに識別番号が有る場合には識別番号が有る方を音声出力し、識別番号が無い方の音声出力をミュートにすることを特徴とする。【選択図】  図１
2014050024.tif 000002
【特許請求の範囲】
【請求項１】
無線端末間で直接通信を用いる直接通信波と無線端末間を基地局を介して中継通信を行う基地局折り返し通信波を受信し復調して異なるスピーカ若しくは受信信号を合成して一つのスピーカから音声出力可能な無線通信システムの無線端末であって、
２つの通信波を同時に受信した場合は、
前記２つの通信波の中に含まれる送信側の無線端末の識別番号を抽出し、
前記２つの通信波の両方に識別番号が有り、かつ識別番号が一致する場合には一方の音声出力をミュートにし、
前記２つの通信波のどちらか一方のみに識別番号が有る場合には識別番号が有る方を音声出力し、識別番号が無い方の音声出力をミュートにすることを特徴とする無線端末。
【請求項２】
請求項１に記載の無線端末において、
前記２つの通信波の両方に識別番号がない場合又は識別番号を受信できない場合は、予め設定した方の音声を出力することを特徴とする無線端末。
【請求項３】
無線端末間で直接通信を用いる直接通信波と無線端末間を基地局を介して中継通信を行う基地局折り返し通信波を受信し復調して異なるスピーカ若しくは受信信号を合成して一つのスピーカから音声出力可能な無線通信システムの無線端末であって、
２つの通信波を同時に受信した場合は、
前記２つの通信波の中に含まれる送信側の無線端末の識別番号又は識別番号の有無に応じて、予め設定した方の音声又は両方の音声を出力することを特徴とする無線端末。
【請求項４】
無線端末間で直接通信を用いる直接通信波と無線端末間を基地局を介して中継通信を行う基地局折り返し通信波を受信し復調して異なるスピーカ若しくは受信信号を合成して一つのスピーカから音声出力可能な無線通信システムの無線端末であって、
２つの通信波を同時に受信し、かつ発信者番号が同一の場合は、一方の通信波の音声出力を行い、一方の通信波の受信終了後にもう一方の通信波の音声出力を開始することを特徴とする無線端末。
【発明の詳細な説明】
【技術分野】
【０００１】
本発明は一の基地局の配下に２以上の移動局が属する無線通信システムに関し、特に直接通信波と基地局折り返し通信波のデータの制御に関するものである。
【背景技術】
【０００２】
陸上移動通信用デジタル無線端末において、現在実用化されているデジタル無線システムとして、社団法人電波産業会が策定したＡＲＩＢ  ＳＴＤ−Ｔ６１（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ  Ｓｔａｎｄａｒｄ‐Ｔ６１：非特許文献１）にて定められている狭帯域デジタル通信システム、あるいはＡＲＩＢ  ＳＴＤ−Ｔ７９（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ  Ｓｔａｎｄａｒｄ‐Ｔ７９：非特許文献２）で定められている移動通信システム等がある。
【０００３】
これらのデジタル通信システムは、複数の基地局と多数の移動局から構成されており、移動局端末間の通信を行う移動局間直接通信モードと当該基地局無線装置を介して指令卓と移動無線局間の通信を行う基地局通信モードがある。
【０００４】
図１は、無線通信システムの一例を示す概略図である。
図１の無線通信システムは、基地局１０１、移動局１０２−１、１０２−２、・・・１０２−Ｎを含んで構成される。以下、不特定の上記移動局を表すときは「移動局１０２−１など」と表記する。
基地局１０１は、移動局１０２−１などと通信を行う、インフラ側の設備である。
移動局１０２−１などは、例えば車両等に搭載される車載無線装置やハンディタイプの携帯無線装置等の移動局である。
【０００５】
基地局通信モードにおいては、移動局１０２から基地局１０１への上り方向周波数ＦＬ１０３と下り方向周波数ＦＨ１０４とが一組のペア波になっており、基地局１０１と移動局１０２間により通信を行う。
移動局間直接通信モードにおいては、基地局１０１を介さずに周波数ＦＬ１０３を用い移動局１０２−１と１０２−２間通信を行うもの（直接通信波）と、移動局１０２から基地局１０１を経由して通信を行うもの（基地局折り返し通信波）とがある。
このような通信モードの場合、例えば、移動局１０２−１が二波受信可能な機能を有している場合、移動局１０２−２からの基地局折り返し通信波(上り波ＦＬ１０３を用い基地局１０１を経由して下り波ＦＨ１０４にて通信を行う)と直接通信波ＦＬ１０３の両方が受信可能となる。このとき、各々の通信波を別々の音声出力装置(スピーカ等)から出力させる場面も想定される。
【０００６】
また、特開２００９−２００９５２号公報（特許文献１）などが先行技術として上げられる。
【先行技術文献】
【特許文献】
【０００７】
【特許文献１】特開２００９−２００９５２号公報
【非特許文献】
【０００８】
【非特許文献１】ＡＲＩＢ  ＳＴＤ−Ｔ６１
【非特許文献２】ＡＲＩＢ  ＳＴＤ−Ｔ７９
【発明の概要】
【発明が解決しようとする課題】
【０００９】
しかし、上記のように基地局折り返し通信波と直接通信波ＦＬ１０３の両方を受信可能な機能構成を有している場合、移動局１０２−２からの上り波ＦＬ１０３を用い基地局１０１を経て下り波ＦＨ１０４にて受信する基地局折り返し通信波と移動局１０２−２からの直接通信波ＦＬ１０３の両方を受信可能となる。
【００１０】
その際、各々の通信波を別々の音声出力装置(スピーカ等)から出力することが可能な移動局１０２−１がある場合、基地局折り返し通信波と移動局間の直接通信波との音声伝達経路差（人為的なマルチパスフェージング）などにより、音声遅延が生じるような場合などは、２つの音声がエコーのように聞こえる可能性がある。業務用無線の利用分野には、消防、ガス、電力、空港などの公共機関も含まれており、このような不快なエコーは業務遂行の妨げともなりかねない。
【００１１】
例えば、災害時の緊急警報などの重要な音声情報を提供するため、音声情報が聞き取りづらいなどの支障をきたすことがある。また民生用においてもエコーやハウリングのように聞こえ、快適な操作環境とは言いがたい。
【００１２】
本発明の目的は、２つの音声出力装置の一方の音声出力レベルをミュートさせることによって、使用者に品質の良い聞き取り易い通話を行う手段を提供することにある。
【課題を解決するための手段】
【００１３】
本発明の無線端末は、無線端末間で直接通信を用いる直接通信波と無線端末間を基地局を介して中継通信を行う基地局折り返し通信波を受信し復調して異なるスピーカ若しくは受信信号を合成して一つのスピーカから音声出力可能な無線通信システムの無線端末であって、２つの通信波を同時に受信した場合は、２つの通信波の中に含まれる送信側の無線端末の識別番号を抽出し、２つの通信波の両方に識別番号が有り、かつ識別番号が一致する場合には一方の音声出力をミュートにし、２つの通信波のどちらか一方のみに識別番号が有る場合には識別番号が有る方を音声出力し、識別番号が無い方の音声出力をミュートにすることを特徴とする。
【００１４】
上記の無線端末において、２つの通信波の両方に識別番号がない場合又は識別番号を受信できない場合は、予め設定した方の音声を出力することを特徴とする。
【００１５】
さらに、本発明の無線端末は、無線端末間で直接通信を用いる直接通信波と無線端末間を基地局を介して中継通信を行う基地局折り返し通信波を受信し復調して異なるスピーカ若しくは受信信号を合成して一つのスピーカから音声出力可能な無線通信システムの無線端末であって、２つの通信波を同時に受信した場合は、２つの通信波の中に含まれる送信側の無線端末の識別番号又は識別番号の有無に応じて、予め設定した方の音声又は両方の音声を出力することを特徴とする。
【００１６】
また、さらに本発明の無線端末は、無線端末間で直接通信を用いる直接通信波と無線端末間を基地局を介して中継通信を行う基地局折り返し通信波を受信し復調して異なるスピーカ若しくは受信信号を合成して一つのスピーカから音声出力可能な無線通信システムの無線端末であって、２つの通信波を同時に受信し、かつ発信者番号が同一の場合は、一方の通信波の音声出力を行い、一方の通信波の受信終了後にもう一方の通信波の音声出力を開始することを特徴とする。
【発明の効果】
【００１７】
本発明に関する移動局及び基地局を用いた無線通信システムを用いる事で、同一の音声データの優先順位を決めることによりエコーの発生を防止でき、快適な操作環境を提供することが可能となる。
【図面の簡単な説明】
【００１８】
【図１】無線通信システムの一例を示す概略図である。
【図２】本発明に関わる音声出力部を二系統有している場合の無線端末である移動局の一例を示したブロック図である。
【図３】本発明におけるデータ送受信に関わるデータフレームの音声データフォーマットを表す概念図である。
【図４】本発明に関わる処理を行う場合の二系統入力時の処理の流れを表す概念図である。
【図５】本発明に一実施例おけるＭＰＵに記憶している二系統入力時の優先順位テーブルを説明するための図である。
【図６】本発明に関わる処理を行う場合の二系統入力時の処理の流れを表すフローチャートである。
【発明を実施するための形態】
【００１９】
以下の実施の形態においては、便宜上その必要があるときは、複数のセクションまたは実施の形態に分割して説明する。しかし、特に明示した場合を除き、それは互いに無関係なものではなく、一方は他方の一部又は全部の変形例、詳細、補足説明などの関係にある。また、以下の実施の形態において、要素の数など（個数、数値、量、範囲などを含む）に言及する場合、特に明示した場合及び原理的に明らかに特定の数に限定される場合などを除き、その特定の数に限定されるものでなく、特定の数以上でも以下でも良い。
【００２０】
さらに、以下の実施の形態において、その構成要素は、特に明示した場合及び原理的に明らかに必須であると考えられる場合を除き、必ずしも必須のものでないことは言うまでもない。
【００２１】
以下、図を用いて本発明の実施の形態を説明する。
図２は本発明に関わる音声出力部を二系統有している場合の無線端末である移動局の一例を示したブロック図である。
【００２２】
移動局１０２は、制御部２０１、アンテナ２０２，２０３、無線部２０４，２０５、ＡＩＵ２０９，２１０、アンプ２１１，２１２、スピーカ２１３，２１４、マイク２１５を含んで構成される。
制御部２０１は、信号処理部２０６、ＭＰＵ２０７、ＰＬＤ２０８を内部に含む信号制御回路である。
アンテナ２０２，２０３は外部から入力される電波を受信し、アナログ信号を抽出するための共振回路である。
無線部２０４，２０５は、アンテナ２０２，２０３によって得られたアナログ信号の増幅、復調などを行い、制御部２０１によって取り扱えるデータ形式に変更する無線回路である。図１の例で言えば、ＦＬ１０３及びＦＨ１０４の双方に対応する無線部を用意する。
【００２３】
なお、ここでは異なるアンテナ２０２，２０３からそれぞれ無線部２０４，２０５に受信した信号を供給しているが、アンテナを一つとして、アンテナの出力を分岐して無線部２０４，２０５にそれぞれ受信した信号を供給するような構成であっても良い。
【００２４】
本発明においては上り方向（移動局から基地局）への電波と下り方向（基地局から移動局）への電波の周波数は異なることを想定している。また他の移動局から出力される上り方向（移動局から基地局）への電波を受信する必要もある。従って、ＦＬ１０３（上り方向）及びＦＨ１０４（下り方向）双方に対応するために、無線部２０４，２０５は異なる周波数に対応した無線部であることを想定する。しかし、符号分割多重方式などの多重化方式を用いた場合には、双方同一の周波数であることも考えられる。また符号分割多重方式などの多重化方式を用いた場合には、信号処理部２０６の処理能力が高い場合には無線部は一つで済む場合も考えられる。本発明は、これらの場合を排除するものでない。ここでは２つの無線部が存在するとして説明する。また、便宜上ここでは、ＦＬ１０３に対応する無線部を無線部２０４、ＦＨ１０４に対応する無線部を無線部２０５とする。
【００２５】
信号処理部２０６は入出力信号のレベル調整、変復調、デジタルアナログ変換／アナログデジタル変換などの入出力信号処理を行う回路である。
ＭＰＵ２０７は、信号処理部２０６を制御する処理装置である。
ＰＬＤ２０８は、ユーザ側で機能追加などを行うためのプログラマブルロジックデバイスである。
ＡＩＵ２０９，２１０は、オーディオ出力系のコーデック回路である。信号処理部２０６が出力するデジタル形式の音声データをアナログ形式に変換する機能を持つ。本図において、ＡＩＵ２１０はマイク２１５からの入力も処理する必要がある。したがって、ＡＩＵ２１０はアナログ信号からデジタル信号への変換処理なども必要となる。
【００２６】
アンプ２１１，２１２は、ＡＩＵ２０９，２１０が出力するアナログ形式の音声データを増幅する増幅器である。
スピーカ２１３，２１４は、アンプ２１１，２１２が増幅した音声データを出力するスピーカである。
マイク２１５は、無線機音声部２００が含まれる無線機の操作者の音声などを入力するためのマイクである。
【００２７】
次に、無線機音声部２００の動作について説明する。
マイク２１５から入力されたアナログ音声信号は、ＡＩＵ２１０でデジタル信号に変換される。制御部２０１を経て、デジタル信号に変換された音声信号は無線部２０４に入力される。無線部２０４にて伝送路符号化された後に、アンテナ２０２から音声信号は出力される。
また受信時には、アンテナ２０２、無線部２０４を経て、制御部２０１にて信号処理された音声デジタル信号は、ＡＩＵ２０９、２１０にてアナログ信号へ変換され、アンプ２１１，２１２にて増幅し、スピーカ２１３，２１４より出力される。
【００２８】
ここで無線機音声部２００が基地局折り返し通信波と直接通信波双方を受信する場合を考える。アンテナ２０２，２０３、無線部２０４，２０５を経て、信号処理部２０６にて処理される。この際、基地局折り返し通信波と直接通信波の二種の送信形態を持つ本願では、基地局への送信にも当たるため上り方向に属するＦＬ１０３と、基地局からの下り方向の信号であるＦＨ１０４は異なる周波数を持ち別々の信号（音声データ）として取り扱われる。
【００２９】
このように同じ音声データを伝播経路の相違により別々の信号として受信して音声として出力することで、伝播経路の相違による遅延分出力がずれることとなる。このことで、エコーやハウリングのような不快な現象を防止することが本発明の目的である。
【００３０】
次に、本発明におけるデータ送受信に関わるデータフレームのフォーマットについて説明する。
図３は、本発明におけるデータ送受信に関わるデータフレーム３００の音声データフォーマットを表す概念図である。このデータフォーマットは、ＡＲＩＢ  ＳＴＤ−Ｔ６１の「４．１．７  機能チャネルの定義」に記載の同期バースト（ＳＢ０）に対応している。
【００３１】
このデータフレーム３００は、同期ワード３０２と情報シンボル３０３を含んで構成される。なお、ガードタイムは本図では省略している。
同期ワード３０２とは、フレーム同期に利用するビット列のことを言う。上記のＡＲＩＢ  ＳＴＤ−Ｔ６１「４．１．７  機能チャネルの定義」中では、ＬＰ＋Ｒ、Ｐｂ、ＲＩ、ＳＷを指す。
【００３２】
情報シンボル３０３とは、上記ＡＲＩＢ  ＳＴＤ−Ｔ６１ではパラメータ情報チャネルＰＩＣＨ（ＰＩ）であらわされている箇所である。パラメータ情報チャネルＰＩＣＨとは、ポイント−ポイント又はポイント−マルチポイントの双方向チャネルであり、同期バーストに付随してユーザ固有の情報などを転送する機能チャネルである。本発明においてはＦＨ１０４がポイント（基地局）−ポイント（ある移動局）、ＦＬ１０３がポイント（ある移動局）−マルチポイント（基地局と他の１の移動局）となる。
この情報シンボル３０３中には個別情報格納エリア３０４が確保されている。
【００３３】
個別情報格納エリア３０４はＦＬ１０３及びＦＨ１０４の送信元に関する情報を格納する記憶領域である。ＦＬ１０３の送信元移動局に関連する情報は、個別情報格納エリア３０４の送信元個別ＩＤ３０５に格納される。また、ＦＨ１０４の送信元に関する情報も同様に送信元個別ＩＤ３０５に格納される。
なお、操作卓等により基地局から直接送信する場合には、当該操作卓に関する情報が送信元個別ＩＤとして格納される。
【００３４】
送信元個別ＩＤ３０５は送信元を示す識別子を格納するデータ領域である。
なお、ＦＬ１０３及びＦＨ１０４の送信元に関する情報として何を用いるかは設計事項であり、ここでは限定しない。
【００３５】
次に、このデータフォーマットを用いて、どのように通信が行われるかを図４で説明する。図４は本発明に関わる処理を行う場合の二系統入力時の処理の流れを表す概念図である。
本実施例の場合、移動局１０２−１はＦＬ１０３−１に音声データを載せて出力する。この際、ＦＬ１０３−１の情報シンボル３０３の個別情報格納エリア３０４のデータ領域である送信元個別ＩＤ３０５には、移動局１０２−１を示すＩＤが格納される。
【００３６】
ＦＬ１０３−１上に載せられる移動局１０２−１より出力されるこの音声データは移動局１０２−２及び基地局１０１に受信される。
基地局１０１は、このＦＬ１０３−１上の音声データを受信し、これに基づき内部処理を行う。
基地局１０１は、ＦＬ１０３−１上の個別情報格納エリア３０４の内容を、ＦＨ１０４−１上の個別情報格納エリア３０４に複製する。その後、受信したＦＬ１０３−１上のデータと同一のデータをＦＨ１０４−１上を経由して移動局１０２−２に出力する。
このようにすることで、移動局１０２−２は、移動局１０２−１から出力されたＦＬ１０３−１上の音声データと基地局１０１から送信されたＦＨ１０４−１上の音声データの双方を受信する。
【００３７】
次に、図５を用いて、ＭＰＵ２０７に記憶する二系統入力時の優先順位テーブルについて説明する。図５は本発明の一実施例におけるＭＰＵ２０７に記憶している二系統入力時の優先順位テーブルを説明するための図である。
二系統入力時の優先順位テーブルは、移動局が基地局波と直接波を同時に受信した場合の優先順位を設定したテーブルである。このテーブルは無線端末の使用者やシステムの管理者等が予め設定できるものである。図５は一例を示している。
【００３８】
二系統入力時の優先順位テーブルは、基地局波と直接波の各々において受信無し、受信ありに分けて設定する。受信ありは、発信者ＩＤを２種（発信者ＩＤ＝Ａ、発信者ＩＤ＝Ｂ）と、発信者ＩＤを受信できない場合の３項目に分けて設定する。
【００３９】
図５の二系統入力時の優先順位テーブルについて説明する。
基地局波と直接波の発信者ＩＤが同じ場合は、早く受信した方（直接波）を優先して音声を出力し、基地局波の音声はＯＦＦ（ミュート）する。当然、基地局波を優先にする設定をしても良い。また、一方の受信波の音声を出力し、その後、もう一方の受信波の音声を出力しても良い。
【００４０】
基地局波と直接波の発信者ＩＤが異なる場合は、ハウリング等を起こさないため、両方の音声を出力する。
２波受信した内、発信者ＩＤを１波しか受信できない場合は、発信者ＩＤが受信波の音声を出力し、発信者ＩＤを受信できない波の音声はＯＦＦ（ミュート）する。
【００４１】
２波の受信波ともに発信者ＩＤを受信できない場合は、基地局波を優先して音声を出力し、直接波の音声はＯＦＦ（ミュート）する。当然、直接波を優先にする設定をしても良い。また、一方の受信波の音声を出力し、その後、もう一方の受信波の音声を出力しても良い。
【００４２】
その次に、図６を用いて本発明の一実施例である無線端末２００の動作について説明する。図６は本発明に関わる処理を行う場合の二系統入力時の処理の流れを表すフローチャートである。
【００４３】
移動局１０２は、ステップＳ６０１で、２つの受信波を受信した場合の優先順位を設定する。または二系統入力時の優先順位テーブルを処理の条件として設定する。設定後、ステップＳ６０２の処理に進む。
【００４４】
ステップＳ６０２では電波を受信し、ステップＳ６０３の処理に進む。
ステップＳ６０３では受信波が２波かを判定し、２波の場合（ＹＥＳ）はステップＳ６０５の処理に進み、１波の場合（ＮＯ）はステップＳ６０４の処理に進む。
ステップＳ６０４では受信波を復調してスピーカから音声出力する。そして、ステップＳ６０２の処理に戻る。
【００４５】
ステップＳ６０５では受信波の２波共に発信者ＩＤを受信できたかを判定する。受信波の２波共に発信者ＩＤを受信できた場合（ＹＥＳ）はステップＳ６０６の処理に進み、それ以外（ＮＯ）即ち発信者ＩＤを１波しか受信できない場合や２波共に発信者ＩＤを受信できない場合はステップＳ６０７の処理に進む。
【００４６】
ステップＳ６０６では、受信波の２波共に発信者ＩＤを受信できているため、二系統入力時の優先順位テーブルから出力する音声を決定する。決定した受信波は復調してスピーカから音声出力し、他の受信波の音声はＯＦＦ（ミュート）にする。
例えば、基地局波と直接波の発信者ＩＤが同じＡ又はＢである場合は、優先順位テーブルに従い、直接波を復調してスピーカから音声出力し、基地局波の音声はＯＦＦ（ミュート）にする。そして、ステップＳ６０２の処理に戻る。
【００４７】
ステップＳ６０７では、受信波の２波共に発信者ＩＤを受信できなかったかを判定する。受信波の１波で発信者ＩＤを受信できた場合（ＮＯ）はステップＳ６０８の処理に進む。受信波の２波共に発信者ＩＤを受信できない場合（ＹＥＳ）はステップＳ６０９の処理に進む。
【００４８】
ステップＳ６０８では、二系統入力時の優先順位テーブルから出力する音声を決定する。決定した受信波は復調してスピーカから音声出力し、他の受信波の音声はＯＦＦ（ミュート）にする。
例えば、直接波は発信者ＩＤを受信できず、基地局波は発信者ＩＤ＝Ａを受信できた場合、二系統入力時の優先順位テーブルに従い、基地局波を復調してスピーカから音声出力し、直接波の音声はＯＦＦ（ミュート）にする。そして、ステップＳ６０２の処理に戻る。
【００４９】
ステップＳ６０９では、二系統入力時の優先順位テーブルから出力する音声を決定する。決定した受信波は復調してスピーカから音声出力し、他の受信波の音声はＯＦＦ（ミュート）にする。
例えば、二系統入力時の優先順位テーブルに従い、基地局波を復調してスピーカから音声出力し、直接波の音声はＯＦＦ（ミュート）にする。そして、ステップＳ６１０の処理に進む。
【００５０】
ステップＳ６１０では、ステップＳ６０９の音声出力中に受信波を受信し、かつ発信者ＩＤを受信したかを判定し、受信波を受信しない場合又は受信波を受信したが発信者ＩＤを受信できない場合（ＮＯ）はステップＳ６１１の処理に進み、受信波を受信し、かつ発信者ＩＤを受信した場合（ＹＥＳ）はステップＳ６１２の処理に進む。
【００５１】
ステップＳ６１１では、ステップＳ６０９の処理を継続する。そして、ステップＳ６０２の処理に戻る。
【００５２】
ステップＳ６１２の処理では、スピーカから出力する音声を復調した発信者ＩＤ付受信波の音声に切り替える。そして、ステップＳ６０２の処理に戻る。
【００５３】
本発明に関する移動局及び基地局を用いた無線通信システムを用いる事で、同一の音声データの優先順位を決めることによりエコーの発生を防止でき、快適な操作環境を提供することが可能となる。
【００５４】
以上本発明について詳細に説明したが、本発明は、ここに記載された無線端末に限定されるものではなく、上記以外の無線端末に広く適用することができることは言うまでもない。
【符号の説明】
【００５５】
１０１：基地局、１０２−１，１０２−２，１０２−Ｎ：移動局、１０３，１０３−１，１０３−２，１０３−３，１０３−４，１０３−５，１０３−６：ＦＬ、１０４，１０４−２，１０４−３，１０４−４，１０４−６：ＦＨ、２００：無線機音声部、２０１：制御部、２０２，２０３，アンテナ、２０４，２０５：無線部、２０６：信号処理部、２０７：ＭＰＵ、２０８：ＰＬＤ、２０９，２１０：ＡＩＵ、２１１，２１２：アンプ、２１３，２１４：スピーカ、２１５：マイク、３００：データフレーム、３０２：同期ワード、３０３：情報シンボル、３０４：個別情報格納エリア、３０５：発信元個別ＩＤ。
【図１】
2014050024.tif 000003
【図２】
2014050024.tif 000004
【図３】
2014050024.tif 000005
【図４】
2014050024.tif 000006
【図５】
2014050024.tif 000007
【図６】
2014050024.tif 000008